【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】
物体像を正立正像化する像正立光学系と、前記正立正像化された物体像を観察するための接眼光学系を備えた観察光学系において、
前記像正立光学系は、少なくとも一つのプリズムを有して構成され、
前記プリズムの物体像側入射面が凸面を有し、
前記接眼光学系は、物体像側から順に、両面が凸形状の正の単レンズと、アイポイント側に凹面を向けたメニスカス形状の負レンズとから構成され、
次の条件式を満足することを特徴とする観察光学系。
０ ＜ Ｓ ＜ ０．３
０．０５ ＜ ｄ１／ｆ ＜ ０．１５
ただし、Ｓ＝（ｒ１−ｒ２）／（ｒ１＋ｒ２）であり、ｒ１は前記負レンズの物体像側の面の曲率半径、ｒ２は前記負レンズのアイポイント側の面の曲率半径、ｄ１は前記正の単レンズと負レンズとの空気間隔であって、ｄ１が変更される観察光学系の場合は視度が−０．８ディオプターに調整されたときの空気間隔、ｆは接眼光学系の焦点距離である。
【請求項２】
前記正の単レンズの物体像側の面が非球面であることを特徴とする請求項１に記載の観察光学系。
【請求項３】
前記負レンズを固定し、前記正の単レンズを移動させることにより視度調整を行なうようにしたことを特徴とする請求項１に記載の観察光学系。
【請求項４】
前記接眼光学系の最もアイポイント側の面から１７．４ｍｍ離れた位置で前記物体像が観察でき、且つ、次の条件式を満足することを特徴とする請求項１〜３のいずれかに記載の観察光学系。
０．８６ ＜ ｒ２／ＩＰ ＜ １．７２
ただし、ｒ２は前記負レンズのアイポイント側の面の曲率半径、ＩＰは前記接眼光学系の最もアイポイント側の面から仮想したアイポイントまでの距離であり、ＩＰ＝１７．４ｍｍと定義する。
【請求項５】
前記プリズムの物体側に前記物体像を形成するための対物光学系を備えたことを特徴とする請求項１〜４のいずれかに記載の観察光学系。
【請求項６】
前記プリズムの物体像側に前記物体像を形成するための液晶表示素子を備えたことを特徴とする請求項１〜４のいずれかに記載の観察光学系。
【請求項７】
前記プリズムの物体像側に前記物体像を形成するためのスクリーンマットを備えたことを特徴とする請求項１〜４のいずれかに記載の観察光学系。
【請求項８】
次の条件式を満足することを特徴とする請求項１に記載の観察光学系。
０．１ ＜ Ｓ ＜ ０．２
ただし、Ｓ＝（ｒ１−ｒ２）／（ｒ１＋ｒ２）であり、ｒ１は前記負レンズの物体像側の面の曲率半径、ｒ２は前記負レンズのアイポイント側の面の曲率半径である。
【請求項９】
次の条件式を満足することを特徴とする請求項１又は８に記載の観察光学系。
０．８ ＜ ｄ１／ｆ ＜ ０．１４
ただし、ｄ１は前記正の単レンズと負レンズとの空気間隔であって、ｄ１が変更される観察光学系の場合は視度が−０．８ディオプターに調整されたときの空気間隔、ｆは接眼光学系の焦点距離である。
【請求項１０】
前記正の単レンズの物体像側の面が非球面であることを特徴とする請求項８又は９に記載の観察光学系。
【請求項１１】
前記非球面が、光軸から離れるにつれてパワーが弱くなる非球面形状であることを特徴とする請求項２又は１０に記載の観察光学系。
【請求項１２】
前記負レンズを固定し、前記正の単レンズを移動させることにより視度調整を行なうようにしたことを特徴とする請求項１１に記載の観察光学系。
【請求項１３】
前記接眼光学系の最もアイポイント側の面から１７．４ｍｍ離れた位置で前記物体像が観察でき、且つ、次の条件式を満足するようにしたことを特徴とする請求項８乃至１２のいずれかに記載の観察光学系。
０．８６ ＜ ｒ２／ＩＰ ＜ １．７２
ただし、ｒ２は前記負レンズのアイポイント側の面の曲率半径、ＩＰは前記接眼光学系の最もアイポイント側の面から仮想したアイポイントまでの距離であり、ＩＰ＝１７．４ｍｍと定義する。
【請求項１４】
前記接眼光学系の最もアイポイント側の面から１７．４ｍｍ離れた位置での物体像の射出半画角ω（度）が、９．１度〜１５．０度の範囲内であることを特徴とする請求項４に記載の観察光学系。
【請求項１５】
次の条件式を満足することを特徴とする請求項４又は１４に記載の観察光学系。
１．０ ＜ ｒ２／ＩＰ ＜ １．６
ただし、ｒ２は前記負レンズのアイポイント側の面の曲率半径、ＩＰは前記接眼光学系の最もアイポイント側の面から仮想したアイポイントまでの距離であり、ＩＰ＝１７．４ｍｍと定義する。
【請求項１６】
前記プリズムの物体像側に前記物体像を形成するための対物光学系を備えたことを特徴とする請求項８乃至１５のいずれかに記載の観察光学系。
【請求項１７】
前記プリズムの物体像側に前記物体像を形成するための液晶表示素子を備えたことを特徴とする請求項８乃至１５のいずれかに記載の観察光学系。
【請求項１８】
前記プリズムの物体像側に前記物体像を形成するためスクリーンマットを備えたことを特徴とする請求項８乃至１５のいずれかに記載の観察光学系。
【請求項１９】
次の条件式を満足することを特徴とする請求項１乃至１８のいずれかに記載の観察光学系。
１．０ ＜ Ｙ／Ｙｐ ＜ ３．０
ただし、Ｙは物体像の像面上における観察可能な範囲の画面対角長、Ｙｐは仮定した入射瞳径であり、Ｙｐ＝４．０ｍｍと定義する。
【請求項２０】
請求項１乃至１９のいずれかに記載の観察光学系と、撮影光学系とを備えたカメラ。
【手続補正２】
【補正対象書類名】明細書
【補正対象項目名】００１３
【補正方法】変更
【補正の内容】
【００１３】
また、本発明による観察光学系は、次の条件式を満足することを特徴とする。
０．１ ＜ Ｓ ＜ ０．２
ただし、Ｓ＝（ｒ１−ｒ２）／（ｒ１＋ｒ２）であり、ｒ１は前記負レンズの物体像側の面の曲率半径、ｒ２は前記負レンズのアイポイント側の面の曲率半径である。
また、本発明による観察光学系は、次の条件式を満足することを特徴とする。
０．８ ＜ ｄ１／ｆ ＜ ０．１４
ただし、ｄ１は前記正の単レンズと負レンズとの空気間隔であって、ｄ１が変更される観察光学系の場合は視度が−０．８ディオプターに調整されたときの空気間隔、ｆは接眼光学系の焦点距離である。
また、本発明による観察光学系は、前記正の単レンズの物体像側の面が非球面であることを特徴とする。
また、本発明による観察光学系は、前記非球面が、光軸から離れるにつれてパワーが弱くなる非球面形状であることを特徴とする。
また、本発明による観察光学系は、前記負レンズを固定し、前記正の単レンズを移動させることにより視度調整を行なうようにしたことを特徴とする。
また、本発明による観察光学系は、前記接眼光学系の最もアイポイント側の面から１７．４ｍｍ離れた位置で前記物体像が観察でき、且つ、次の条件式を満足するようにしたことを特徴とする。
０．８６ ＜ ｒ２／ＩＰ ＜ １．７２
ただし、ｒ２は前記負レンズのアイポイント側の面の曲率半径、ＩＰは前記接眼光学系の最もアイポイント側の面から仮想したアイポイントまでの距離であり、ＩＰ＝１７．４ｍｍと定義する。
また、本発明による観察光学系は、前記接眼光学系の最もアイポイント側の面から１７．４ｍｍ離れた位置での物体像の射出半画角ω（度）が、９．１度〜１５．０度の範囲内であることを特徴とする。
また、本発明による観察光学系は、次の条件式を満足することを特徴とする。
１．０ ＜ ｒ２／ＩＰ ＜ １．６
ただし、ｒ２は前記負レンズのアイポイント側の面の曲率半径、ＩＰは前記接眼光学系の最もアイポイント側の面から仮想したアイポイントまでの距離であり、ＩＰ＝１７．４ｍｍと定義する。
また、本発明による観察光学系は、前記プリズムの物体像側に前記物体像を形成するための対物光学系を備えたことを特徴とする。
また、本発明による観察光学系は、前記プリズムの物体像側に前記物体像を形成するための液晶表示素子を備えたことを特徴とする。
また、本発明による観察光学系は、前記プリズムの物体像側に前記物体像を形成するためスクリーンマットを備えたことを特徴とする。
また、本発明による観察光学系は、次の条件式を満足することを特徴とする。
１．０ ＜ Ｙ／Ｙｐ ＜ ３．０
ただし、Ｙは物体像の像面上における観察可能な範囲の画面対角長、Ｙｐは仮定した入射瞳径であり、Ｙｐ＝４．０ｍｍと定義する。
また、本発明によるカメラは、本第１乃至１９の発明のいずれかによる観察光学系と、撮影光学系とを備えている。